【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
Ｎ×Ｍ個の加入者装置を接続することができるようにＭ個のＮ分岐スプリッタ（３１〜３８）を線路上に設置するとともに、複数個の局用装置（１１，１２）から前記Ｎ×Ｍ個の加入者装置にチャンネルを１つずつ割り当てることにより構築されるＰＯＮ方式の光ネットワークにおいて使用されるＰＯＮ方式光伝送システムであって、
前記ＰＯＮ方式の光ネットワークを構築する当初に通信局舎内設備として設置された、かつ、（Ｎ×Ｍ）／（２の倍数）個の加入者装置にのみチャンネルを１つずつ割り当てるのに必要な個数の局用装置（１１）と、
前記ＰＯＮ方式の光ネットワークを構築する当初に通信局舎内設備として設置された、かつ、前記必要な個数の局用装置（１１）と前記Ｍ個のＮ分岐スプリッタ（３１〜３８）のすべてとを光ファイバを介して接続するための少なくとも１個のＬ分岐スプリッタ（２１，２２）と、
前記ＰＯＮ方式の光ネットワークを構築する当初に通信局舎内設備として設置された、かつ、前記ＰＯＮ方式の光ネットワークを構築する当初では前記必要な個数の局用装置（１１）から前記Ｍ個のＮ分岐スプリッタ（３１〜３８）の各Ｎ分岐スプリッタに接続される少なくとも１個の加入者装置にチャンネルを１つずつ割り当てるとともに合計で（Ｎ×Ｍ）／（２の倍数）個の加入者装置にのみチャンネルを１つずつ割り当てるチャンネル割当装置（１５）とを具備し、
前記ＰＯＮ方式の光ネットワークを構築する当初では前記必要な個数の局用装置（１１）のみを通信局舎内設備として設置しておき、該ＰＯＮ方式の光ネットワークを構築したのちに加入者数が増加して、前記Ｍ個のＮ分岐スプリッタ（３１〜３８）のうちの少なくとも１個のＮ分岐スプリッタに接続される加入者装置の数が多くなって前記必要な個数の局用装置（１１）のみではチャンネルを割り当てることができなくなると、前記複数個の局用装置（１１，１２）のうちの他の局用装置（１２）を通信局舎内設備として新たに設置していくことにより、加入者数の少ない該ＰＯＮ方式の光ネットワークを構築する当初に通信局舎内設備として設置する局用装置の個数を減らした、
ことを特徴とする、ＰＯＮ方式光伝送システム。
【請求項２】
前記ＰＯＮ方式の光ネットワークを構築したのちに前記少なくとも１個のＮ分岐スプリッタに接続される加入者装置にチャンネルを割り当てることができなくなると、前記他の局用装置（１２）と共に、該他の局用装置（１２）と該少なくとも１個のＮ分岐スプリッタとを接続するための少なくとも１個の（Ｌ／（２の倍数））分岐スプリッタ（４１，４２）を通信局舎内設備として新たに設置し、
前記チャンネル割当装置（１５）が、前記少なくとも１個のＮ分岐スプリッタに接続される加入者装置のすべてに前記他の局用装置（１２）からチャンネルを１つずつ割り当てるためにも用いられる、
ことを特徴とする、請求項１記載のＰＯＮ方式光伝送システム。
【請求項３】
前記他の局用装置（１２）を新たに設置していくことにより前記複数個の局用装置（１１，１２）がすべて通信局舎内設備として設置されると、前記チャンネル割当装置（１５）が、該複数個の局用装置（１１，１２）から前記Ｎ×Ｍ個の加入者装置にチャンネルを１つずつ割り当てるためにも用いられることを特徴とする、請求項２記載のＰＯＮ方式光伝送システム。
【請求項４】
前記複数個の局用装置（１１，１２）がすべて通信局舎内設備として設置されると、前記少なくとも１個のＬ分岐スプリッタ（２１，２２）が少なくとも１個の他の（Ｌ／（２の倍数））分岐スプリッタに取り換えられることを特徴とする、請求項３記載のＰＯＮ方式光伝送システム。
【請求項５】
前記複数個の局用装置（１１，１２）がそれぞれ互いに重複するチャンネルを有する場合には、前記チャンネル割当装置（１５）が、互いに重複するチャンネルが前記Ｍ個のＮ分岐スプリッタにそれぞれ接続されたＮ個ずつの加入者装置に割り当てられないように、前記複数個の局用装置（１１，１２）から前記Ｎ×Ｍ個の加入者装置にチャンネルを１つずつ割り当てるためにも用いられることを特徴とする、請求項３または４記載のＰＯＮ方式光伝送システム。
【請求項６】
前記必要な個数の局用装置のうちの１個の局用装置（１１）が、互いに重複するチャンネルを有する２個の光インターフェースを備えている場合には、
前記ＰＯＮ方式の光ネットワークを構築する当初は、
２個のＬ分岐スプリッタ（２１，２２）が通信局舎内設備として設置され、
前記１個の局用装置（１１）と前記２個のＬ分岐スプリッタ（２１，２２）のうちの１個のＬ分岐スプリッタ（２１）とが、前記２個の光インターフェースのうちの一方の光インターフェースのチャンネルが割り当てられた光ファイバを介して接続されるとともに、該１個の局用装置（１１）と該２個のＬ分岐スプリッタ（２１，２２）のうちの他の１個のＬ分岐スプリッタ（２２）とが、前記２個の光インターフェースのうちの他方の光インターフェースのチャンネルが割り当てられた光ファイバを介して接続され、
前記他の局用装置（１２）が、互いに重複するチャンネルを有する２個の他の光インターフェースを備えている場合には、
前記他の局用装置（１２）が通信局舎内設備として新たに設置されると、
２個の（Ｌ／（２の倍数））分岐スプリッタ（４１，４２）が通信局舎内設備として新たに設置され、
前記他の局用装置（１２）と前記２個の（Ｌ／（２の倍数））分岐スプリッタ（４１，４２）のうちの１個の（Ｌ／（２の倍数））分岐スプリッタ（４１）とが、前記２個の他の光インターフェースのうちの一方の他の光インターフェースのチャンネルが割り当てられた光ファイバを介して接続されるとともに、該他の局用装置（１２）と前記２個の（Ｌ／（２の倍数））分岐スプリッタ（４１，４２）のうちの他の１個の（Ｌ／（２の倍数））分岐スプリッタ（４２）とが、前記２個の他の光インターフェースのうちの他方の他の光インターフェースのチャンネルが割り当てられた光ファイバを介して接続される、
ことを特徴とする、請求項４または５記載のＰＯＮ方式光伝送システム。
【手続補正２】
【補正対象書類名】明細書
【補正対象項目名】００１４
【補正方法】変更
【補正の内容】
【００１４】
本発明のＰＯＮ方式光伝送システムは、Ｎ×Ｍ個の加入者装置を接続することができるようにＭ個のＮ分岐スプリッタ（３１〜３８）を線路上に設置するとともに、複数個の局用装置（１１，１２）から前記Ｎ×Ｍ個の加入者装置にチャンネルを１つずつ割り当てることにより構築されるＰＯＮ方式の光ネットワークにおいて使用されるＰＯＮ方式光伝送システムであって、前記ＰＯＮ方式の光ネットワークを構築する当初に通信局舎内設備として設置された、かつ、（Ｎ×Ｍ）／（２の倍数）個の加入者装置にのみチャンネルを１つずつ割り当てるのに必要な個数の局用装置（１１）と、前記ＰＯＮ方式の光ネットワークを構築する当初に通信局舎内設備として設置された、かつ、前記必要な個数の局用装置（１１）と前記Ｍ個のＮ分岐スプリッタ（３１〜３８）のすべてとを光ファイバを介して接続するための少なくとも１個のＬ分岐スプリッタ（２１，２２）と、前記ＰＯＮ方式の光ネットワークを構築する当初に通信局舎内設備として設置された、かつ、前記ＰＯＮ方式の光ネットワークを構築する当初では前記必要な個数の局用装置（１１）から前記Ｍ個のＮ分岐スプリッタ（３１〜３８）の各Ｎ分岐スプリッタに接続される少なくとも１個の加入者装置にチャンネルを１つずつ割り当てるとともに合計で（Ｎ×Ｍ）／（２の倍数）個の加入者装置にのみチャンネルを１つずつ割り当てるチャンネル割当装置（１５）とを具備し、前記ＰＯＮ方式の光ネットワークを構築する当初では前記必要な個数の局用装置（１１）のみを通信局舎内設備として設置しておき、該ＰＯＮ方式の光ネットワークを構築したのちに加入者数が増加して、前記Ｍ個のＮ分岐スプリッタ（３１〜３８）のうちの少なくとも１個のＮ分岐スプリッタに接続される加入者装置の数が多くなって前記必要な個数の局用装置（１１）のみではチャンネルを割り当てることができなくなると、前記複数個の局用装置（１１，１２）のうちの他の局用装置（１２）を通信局舎内設備として新たに設置していくことにより、加入者数の少ない該ＰＯＮ方式の光ネットワークを構築する当初に通信局舎内設備として設置する局用装置の個数を減らしたことを特徴とする。
ここで、前記ＰＯＮ方式の光ネットワークを構築したのちに前記少なくとも１個のＮ分岐スプリッタに接続される加入者装置にチャンネルを割り当てることができなくなると、前記他の局用装置（１２）と共に、該他の局用装置（１２）と該少なくとも１個のＮ分岐スプリッタとを接続するための少なくとも１個の（Ｌ／（２の倍数））分岐スプリッタ（４１，４２）を通信局舎内設備として新たに設置し、前記チャンネル割当装置（１５）が、前記少なくとも１個のＮ分岐スプリッタに接続される加入者装置のすべてに前記他の局用装置（１２）からチャンネルを１つずつ割り当てるためにも用いられてもよい。
前記他の局用装置（１２）を新たに設置していくことにより前記複数個の局用装置（１１，１２）がすべて通信局舎内設備として設置されると、前記チャンネル割当装置（１５）が、該複数個の局用装置（１１，１２）から前記Ｎ×Ｍ個の加入者装置にチャンネルを１つずつ割り当てるためにも用いられてもよい。
前記複数個の局用装置（１１，１２）がすべて通信局舎内設備として設置されると、前記少なくとも１個のＬ分岐スプリッタ（２１，２２）が少なくとも１個の他の（Ｌ／（２の倍数））分岐スプリッタに取り換えられてもよい。
前記複数個の局用装置（１１，１２）がそれぞれ互いに重複するチャンネルを有する場合には、前記チャンネル割当装置（１５）が、互いに重複するチャンネルが前記Ｍ個のＮ分岐スプリッタにそれぞれ接続されたＮ個ずつの加入者装置に割り当てられないように、前記複数個の局用装置（１１，１２）から前記Ｎ×Ｍ個の加入者装置にチャンネルを１つずつ割り当てるためにも用いられてもよい。
前記必要な個数の局用装置のうちの１個の局用装置（１１）が、互いに重複するチャンネルを有する２個の光インターフェースを備えている場合には、前記ＰＯＮ方式の光ネットワークを構築する当初は、２個のＬ分岐スプリッタ（２１，２２）が通信局舎内設備として設置され、前記１個の局用装置（１１）と前記２個のＬ分岐スプリッタ（２１，２２）のうちの１個のＬ分岐スプリッタ（２１）とが、前記２個の光インターフェースのうちの一方の光インターフェースのチャンネルが割り当てられた光ファイバを介して接続されるとともに、該１個の局用装置（１１）と該２個のＬ分岐スプリッタ（２１，２２）のうちの他の１個のＬ分岐スプリッタ（２２）とが、前記２個の光インターフェースのうちの他方の光インターフェースのチャンネルが割り当てられた光ファイバを介して接続され、前記他の局用装置（１２）が、互いに重複するチャンネルを有する２個の他の光インターフェースを備えている場合には、前記他の局用装置（１２）が通信局舎内設備として新たに設置されると、２個の（Ｌ／（２の倍数））分岐スプリッタ（４１，４２）が通信局舎内設備として新たに設置され、前記他の局用装置（１２）と前記２個の（Ｌ／（２の倍数））分岐スプリッタ（４１，４２）のうちの１個の（Ｌ／（２の倍数））分岐スプリッタ（４１）とが、前記２個の他の光インターフェースのうちの一方の他の光インターフェースのチャンネルが割り当てられた光ファイバを介して接続されるとともに、該他の局用装置（１２）と前記２個の（Ｌ／（２の倍数））分岐スプリッタ（４１，４２）のうちの他の１個の（Ｌ／（２の倍数））分岐スプリッタ（４２）とが、前記２個の他の光インターフェースのうちの他方の他の光インターフェースのチャンネルが割り当てられた光ファイバを介して接続されてもよい。